(57)【特許請求の範囲】
【請求項１】
舶用内燃機関から排出されて、過給機を駆動した排気ガスに含まれる窒素酸化物を還元する舶用排気ガス脱硝装置であって、
還元剤が貯蔵された還元剤貯蔵タンクと、
前記還元剤貯蔵タンクに貯蔵された還元剤を、前記排気ガス中に噴出させる還元剤噴射ノズルと、
前記排気ガスに含まれる窒素酸化物を還元する触媒を備えた脱硝反応器と、
前記脱硝反応器よりも上流側に設けられて、前記脱硝反応器に供給される排気ガスを昇温させる加熱手段と、
前記脱硝反応器の性能が所定のレベルを下回った場合に、前記加熱手段を作動させ、前記脱硝反応器に供給される排気ガスを昇温させて、その後、前記脱硝反応器の性能が所定のレベルを上回った場合に、前記加熱手段を停止させ、前記脱硝反応器に供給される排気ガスの昇温を停止させる機能を備えた制御装置と、を具備していることを特徴とする舶用排気ガス脱硝装置。
【請求項２】
前記加熱手段に流入した排気ガスに旋回力を付与する旋回力付与手段が、前記加熱手段内に設けられていることを特徴とする請求項１に記載の舶用排気ガス脱硝装置。
【請求項３】
前記加熱手段は、前記脱硝反応器に供給される排気ガスに燃焼ガスを流入させることにより該排気ガスを昇温させるバーナー部であり、
該バーナー部は、
外筒と、
該外筒の内部における長手方向軸線上に配置された内筒と、
該内筒の内部における長手方向軸線上に配置されたバーナー筒とを備える請求項１に記載の舶用排気ガス脱硝装置。
【請求項４】
前記バーナー部に流入した排気ガスに旋回力を付与する複数枚の旋回力付与手段が前記バーナー部内に設けられ、
前記内筒は、放射状に配置された複数枚の前記旋回力付与手段を介して前記外筒に支持されていることを特徴とする請求項３に記載の舶用排気ガス脱硝装置。
【請求項５】
前記脱硝反応器の上流側に、前記排気ガス中の粒子状物質を捕集する除塵装置が設けられていることを特徴とする請求項１から請求項４のいずれか１項に記載の舶用排気ガス脱硝装置。
【請求項６】
請求項１から請求項５のいずれか一項に記載の舶用排気ガス脱硝装置を具備していることを特徴とする船舶。
【請求項７】
還元剤が貯蔵された還元剤貯蔵タンクと、
前記還元剤貯蔵タンクに貯蔵された還元剤を、排気ガス中に噴出させる還元剤噴射ノズルと、
前記排気ガスに含まれる窒素酸化物を還元する触媒を備えた脱硝反応器と、
前記脱硝反応器よりも上流側に設けられて、前記脱硝反応器に供給される排気ガスを昇温させる加熱手段と、を備え、
舶用内燃機関から排出されて、過給機を駆動した排気ガスに含まれる窒素酸化物を還元する舶用排気ガス脱硝装置の運転方法であって、
前記脱硝反応器の性能が所定のレベルを下回った場合に、前記加熱手段を作動させ、前記脱硝反応器に供給される排気ガスを昇温させて、その後、前記脱硝反応器の性能が所定のレベルを上回った場合に、前記加熱手段を停止させ、前記脱硝反応器に供給される排気ガスの昇温を停止させるようにしたことを特徴とする舶用排気ガス脱硝装置の運転方法。
【発明の詳細な説明】
【技術分野】
【０００１】
本発明は、例えば、船舶の主機として用いられる２サイクル低速ディーゼル機関から排出される排気ガス中から窒素酸化物を除去する舶用排気ガス脱硝装置に関するものである。
【背景技術】
【０００２】
近年の環境保全に対する関心の高まりに伴い、例えば、船舶の主機として用いられる２サイクル低速ディーゼル機関から排出される排気ガスに含まれる窒素酸化物（以下、「ＮＯｘ」という。）を削減する必要性が生じている。ＮＯｘ削減を図るためには、ディーゼル機関の排気ガスを脱硝触媒に通す方法が一般的に知られている（例えば、特許文献１参照）。
ここで、脱硝触媒としては、アンモニア等を還元剤として窒素に還元する選択的還元法（ＳＣＲ法）に基づく触媒が一般的に用いられている。
【先行技術文献】
【特許文献】
【０００３】
【特許文献１】特公平７−６３８０号公報
【発明の概要】
【発明が解決しようとする課題】
【０００４】
さて、上述のような２サイクル低速ディーゼル機関であって、過給機を備えたものの場合には、過給機から排出された排気ガスの温度は３００℃以下となる。
一般に、脱硝触媒におけるＮＯｘの還元反応は、３００℃から３２０℃よりも高い温度で行われることが好ましく、これよりも低温の排気ガスを脱硝触媒に通すと、脱硝触媒が短時間で劣化したり、ＮＯｘ低減効果が低くなったりすると言われている。
【０００５】
このような問題を解決するため、上記特許文献１の図２に示すように、２サイクル低速ディーゼル機関と過給機との間に脱硝触媒を配置して、言い換えると、過給機の入口上流側に脱硝反応器を配置して、脱硝反応器に温度が低下する前の高温の排気ガスを導入する方法が知られている。
【０００６】
しかしながら、過給機の入口上流側に脱硝反応器を配置すると、脱硝反応器は熱容量を有し緩衝部として作用することから、舶用内燃機関における起動時や停止時等のように過渡的に負荷が変動した場合に、過給機の回転数が負荷の変動に追従しない、または、遅れるという問題があった。
【０００７】
その一方で、上記特許文献１の図１に示すように、過給機の下流側に脱硝反応器を配置するとともに、過給機と脱硝反応器との間に燃料を燃焼させるバーナー部（排ガス加熱装置：加熱手段）を配置し、脱硝反応器に導入される排気ガスの温度を上げる方法も考えられる。
しかしながら、従来のバーナー部においては、排気ガスの温度を３００℃から３２０℃よりも高い温度に保つため、燃焼用空気および燃料が常時供給され、過給機から脱硝反応器に供給される排気ガスが常時昇温（加熱）されるようになっていた。そのため、バーナー部における燃料消費量が増大し、ランニングコストが高騰してしまうといった問題点があった。
【０００８】
本発明は、上記の課題を解決するためになされたものであって、加熱手段における燃料消費量を抑制することができ、ランニングコストを低減させることができる舶用排気ガス脱硝装置を提供することを目的とする。
【課題を解決するための手段】
【０００９】
上記目的を達成するために、本発明は、以下の手段を提供する。
本発明に係る舶用排気ガス脱硝装置は、舶用内燃機関から排出されて、過給機を駆動した排気ガスに含まれる窒素酸化物を還元する舶用排気ガス脱硝装置であって、還元剤が貯蔵された還元剤貯蔵タンクと、前記還元剤貯蔵タンクに貯蔵された還元剤を、前記排気ガス中に噴出させる還元剤噴射ノズルと、前記排気ガスに含まれる窒素酸化物を還元する触媒を備えた脱硝反応器と、前記脱硝反応器よりも上流側に設けられて、前記脱硝反応器に供給される排気ガスを昇温させる加熱手段（バーナー、ヒーター等）と、前記脱硝反応器の性能が所定のレベルを下回った場合に、前記加熱手段を作動させ、前記脱硝反応器に供給される排気ガスを昇温させて、その後、前記脱硝反応器の性能が所定のレベルを上回った場合に、前記加熱手段を停止させ、前記脱硝反応器に供給される排気ガスの昇温を停止させる機能を備えた制御装置と、を具備している。
【００１０】
本発明に係る舶用排気ガス脱硝装置によれば、脱硝反応器の性能が所定のレベルを下回った場合にのみ、加熱手段を作動させ、脱硝反応器に供給される排気ガスを昇温させて、その後、脱硝反応器の性能が再生（回復）して所定のレベルを上回ったら、加熱手段を停止させ、脱硝反応器に供給される排気ガスの昇温が停止されることになる。
これにより、加熱手段における燃料消費量を抑制することができ、ランニングコストを低減させることができる。
また、本発明に係る舶用排気ガス脱硝装置によれば、過給機の下流側に脱硝反応器が配置されるとともに、過給機と脱硝反応器との間に燃料を燃焼させる加熱手段が配置されることになる。
これにより、舶用内燃機関における起動時や停止時等のように過渡的に負荷が変動した場合でも、過給機の回転数を負荷の変動に追従させる、または、遅れないようにすることができる。
【００１１】
上記舶用排気ガス脱硝装置において、前記加熱手段に流入した排気ガスに旋回力を付与する旋回力付与手段が、前記加熱手段内に設けられているとさらに好適である。
【００１２】
このような舶用排気ガス脱硝装置によれば、加熱手段に流入した排気ガスに旋回力が付与され、排気ガスが旋回しながら下流側に進んでいくことになるので、排気ガスと、還元剤噴射ノズルから排気ガス中に噴出された還元剤とを、短い距離で均一に混ぜ合わせることができ、脱硝反応器におけるＮＯｘの還元反応を促進させることができる。
【００１３】
上記舶用排気ガス脱硝装置において、前記脱硝反応器の上流側に、前記排気ガス中の粒子状物質を捕集する除塵装置が設けられているとさらに好適である。
【００１４】
このような舶用排気ガス脱硝装置によれば、脱硝反応器内への排気ガス中の粒子状物質の流入を抑制する（低減させる）ことができ、脱硝反応器の劣化速度を遅延させることができて、脱硝反応器の再生間隔を延ばすことができ、加熱手段における燃料消費量をさらに抑制することができる。
【００１５】
本発明に係る船舶は、上記いずれかの舶用排気ガス脱硝装置を具備している。
【００１６】
本発明に係る船舶によれば、加熱手段における燃料消費量を抑制することができ、ランニングコストを低減させることができる舶用排気ガス脱硝装置を具備していることになるので、船舶全体の燃料消費量を抑制することができて、船舶全体のランニングコストを低減させることができる。
また、本発明に係る船舶によれば、舶用内燃機関における起動時や停止時等のように過渡的に負荷が変動した場合でも、過給機の回転数を負荷の変動に追従させる、または、遅れないようにすることができる舶用排気ガス脱硝装置を具備していることになるので、船舶の操船性（操縦性）を損なわないように（阻害しないように）することができる。
【００１７】
本発明に係る舶用排気ガス脱硝装置の運転方法は、還元剤が貯蔵された還元剤貯蔵タンクと、前記還元剤貯蔵タンクに貯蔵された還元剤を、排気ガス中に噴出させる還元剤噴射ノズルと、前記排気ガスに含まれる窒素酸化物を還元する触媒を備えた脱硝反応器と、前記脱硝反応器よりも上流側に設けられて、前記脱硝反応器に供給される排気ガスを昇温させる加熱手段と、を備え、舶用内燃機関から排出されて、過給機を駆動した排気ガスに含まれる窒素酸化物を還元する舶用排気ガス脱硝装置の運転方法であって、前記脱硝反応器の性能が所定のレベルを下回った場合に、前記加熱手段を作動させ、前記脱硝反応器に供給される排気ガスを昇温させて、その後、前記脱硝反応器の性能が所定のレベルを上回った場合に、前記加熱手段を停止させ、前記脱硝反応器に供給される排気ガスの昇温を停止させるようにした。
【００１８】
本発明に係る舶用排気ガス脱硝装置の運転方法によれば、脱硝反応器の性能が所定のレベルを下回った場合にのみ、加熱手段を作動させ、脱硝反応器に供給される排気ガスを昇温させて、その後、脱硝反応器の性能が再生（回復）して所定のレベルを上回ったら、加熱手段を停止させ、脱硝反応器に供給される排気ガスの昇温が停止されることになる。
これにより、加熱手段における燃料消費量を抑制することができ、ランニングコストを低減させることができる。
【発明の効果】
【００１９】
本発明に係る舶用排気ガス脱硝装置によれば、加熱手段における燃料消費量を抑制することができ、ランニングコストを低減させることができるという効果を奏する。
【図面の簡単な説明】
【００２０】
【図１】本発明の一実施形態に係る舶用排気ガス脱硝装置を具備した船舶の概略の構成を示す図である。
【図２】図１に示すバーナー部およびバーナー部近傍の構成を示す図である。
【図３】図１に示すバーナー部およびバーナー部近傍の構成を示す図である。
【図４】図３のＩＶ−ＩＶ矢視断面図である。
【図５】図２から図４に示す内筒およびベーンを長手方向（軸方向）に沿って下流側から見た図である。
【図６】図５を上側（上流側に位置する煙道を流れてきた排気ガスが流入する側）から見た図である。
【発明を実施するための形態】
【００２１】
以下、本発明の一実施形態に係る舶用排気ガス脱硝装置について、図１から図６を参照して説明する。
図１は本実施形態に係る舶用排気ガス脱硝装置を具備した船舶の概略の構成を示す図、図２および図３は図１に示すバーナー部およびバーナー部近傍の構成を示す図、図４は図３のＩＶ−ＩＶ矢視断面図、図５は図２から図４に示す内筒およびベーンを長手方向（軸方向）に沿って下流側から見た図、図６は図５を上側（上流側に位置する煙道を流れてきた排気ガスが流入する側）から見た図である。
【００２２】
本実施形態に係る船舶１は、舶用内燃機関２と、舶用排気ガス脱硝装置１０とを備えている。
舶用内燃機関２としては、例えば、シリンダ部（図示せず）と、排気レシーバー（排気集合管：排気マニホールド）３と、過給機４とを備え、船舶１の主機として用いられる２サイクル低速ディーゼル機関を一具体例として挙げることができる。
各シリンダ部内には、クランク軸（図示せず）と連結されたピストン（図示せず）が配置されている。また、各シリンダ部の排気ポート（図示せず）は、排気管（図示せず）を介して排気レシーバー３と連通（接続）されており、各排気管におけるシリンダに対する開口部には、当該開口部を開閉する排気弁５が配置されている。
【００２３】
舶用排気ガス脱硝装置１０は、還元剤貯蔵タンク１１と、還元剤供給装置１２と、還元剤噴射ノズル１３と、脱硝反応器１４と、バーナー部（昇温部：加熱手段）１５と、制御装置１６とを備えている。
還元剤貯蔵タンク１１には、還元剤（本実施形態では「アンモニア水または尿素水」）が貯蔵されている。また、還元剤貯蔵タンク１１と還元剤供給装置１２とは、（第１の）還元剤供給管２１を介して連通（接続）されており、随時必要に応じて、還元剤貯蔵タンク１１から還元剤供給装置１２に還元剤が供給されるようになっている。
【００２４】
還元剤供給装置１２には、清水供給管２２と、空気供給管２３とが接続されており、随時必要に応じて、船舶１の船底に設けられた清水タンク（図示せず）から還元剤供給装置１２に清水が供給され、船舶１内に設けられた空気タンク（図示せず）から還元剤供給装置１２に制御空気が供給されるようになっている。
還元剤噴射ノズル１３は、過給機４と脱硝反応器１４とを連通（接続）する（第１の）煙道（排気管）２４内に設けられている。また、還元剤噴射ノズル１３と還元剤供給装置１２とは、（第２の）還元剤供給管２５を介して連通（接続）されており、随時必要に応じて、還元剤供給装置１２から還元剤が供給されるようになっている。そして、還元剤噴射ノズル１３から煙道２４内に向かって、霧状の還元剤が供給される（還元剤が噴霧される）ようになっている。
【００２５】
なお、還元剤供給装置１２に供給される清水の量および制御空気の量、還元剤噴射ノズル１３に供給される還元剤の量は、制御装置１６により制御されるようになっている。
また、バーナー部１５が設けられている（配置されている）箇所（部分）よりも上流側に位置する煙道２４には、過給機４を通過した排気ガス（燃焼ガス）を（排熱回収）ボイラ（図示せず）に導く枝管２６が接続していることで、万が一脱硝反応器に不調が生じた場合でも船舶の運航が可能となる。
さらに、煙道２４と枝管２６との接合部（分岐部）よりも下流側で、バーナー部１５よりも上流側に位置する煙道２４内には、制御装置１６によりその開度が調整される（第１の）流量調整弁２７が設けられており、煙道２４と枝管２６との接合部（分岐部）近傍に位置する枝管２６内には、制御装置１６によりその開度が調整される（第２の）流量調整弁２８が設けられている。
【００２６】
脱硝反応器１４の内部には、例えば、外観が直方体形状を呈するとともに、ハニカム（ハチの巣）構造を有する触媒２９が複数個設けられており（配置されており）、これら触媒２９の中を排気ガスが通過（通気）する際に、ＮＯｘが窒素と水に分解され、排気ガス中のＮＯｘが除去されることになる。そして、ＮＯｘが除去された排気ガスは、脱硝反応器１４と煙突（図示せず）とを連通（接続）する（第２の）煙道（排気管）３０を介して煙突に導かれ、煙突から大気中に排出されるようになっている。
なお、煙道３０内には、制御装置１６によりその開度が調整される（第３の）流量調整弁３１が設けられている。
【００２７】
つぎに、バーナー部１５について、図２から図６を用いて説明する。
図２から図６の少なくともいずれかの図に示すように、バーナー部１５は、外筒４１と、内筒４２と、燃焼筒（バーナー筒）４３と、ノズル（図示せず）と、ベーン（旋回力付与手段）４４とを備えている。
外筒４１は、外観が円柱形状を呈する筒状の部材であり、その外周面には、上流側に位置する煙道２４を流れてきた排気ガスが、外筒４１の内筒外周に沿って排ガスが旋回しつつ排ガス管の軸方向（長手方向軸線：中心軸線）に向かうとともに、外筒４１の下流側に向かうようにして、上流側に位置する煙道２４が接続（連結）されている。また、外筒４１の下流端に設けられた端面の中央部には、下流側に位置する煙道２４の長手方向軸線（中心軸線）が、外筒４１の長手方向軸線（中心軸線）上に位置するようにして、下流側に位置する煙道２４が接続（連結）されている。
【００２８】
内筒４２は、外観が円柱形状を呈するとともに、長手方向（軸方向）の長さが外筒４１よりも短い筒状の部材であり、長手方向軸線（中心軸線）が外筒４１の長手方向軸線（中心軸線）上に位置するとともに、一端が外筒４１の上流端に設けられた端面の中央部に接するようにして、外筒４１内に配置されている。また、内筒４２は、上流側に位置する煙道２４を流れてきた排気ガスが流入する側に放射状に配置された、複数枚（本実施形態では９枚）のベーン４４を介して外筒４１に支持されているとともに、上流側に位置する煙道２４を流れてきた排気ガスが流入する側と反対の側に放射状に配置された、複数本（本実施形態では１２（３×４）本）の丸棒状のステー（stay）４５を介して外筒４１に支持されている。
【００２９】
ステー４５は、棒状（例えば、丸棒）の部材であり、一端（半径方向外側に位置する端）が外筒４１の内周面に接するとともに、他端（半径方向内側に位置する端）が内筒４２の外周面に接するとともに、図４に示すように、中心角５０度の範囲内に、周方向に隣り合うステー４５の中心間の間隔（ピッチ）が等しくなるようにして、外筒４１と内筒４２との間に配置されている。
なお、図２中には、上流側に位置する６（３×２）本のステー４５のみを示している。
【００３０】
加熱手段としてバーナーを使用して内筒４２に接続した場合、バーナー燃焼器（図示せず）で高温の燃焼ガスを作り、その高温ガスが内筒４２を通り外筒４１内に流入することで、過給機５から脱硝反応器１４に供給される排気ガスを昇温（加熱）して、排気ガスの温度を高めるのに使用（利用）される。
【００３１】
ベーン４４は、例えば、平面視矩形状を呈する薄板状の平板であり、一端（半径方向外側に位置する端）が外筒４１の内周面に接するとともに、他端（半径方向内側に位置する端）が内筒４２の外周面に接するようにして、外筒４１と内筒４２との間に周方向に沿って一列に配置されている。また、ベーン４４は、内筒４２およびベーン４４を長手方向（軸方向）に沿って下流側から見た図５に示すように、中心角９０度の範囲内に、隣り合うベーン４４の中心間の間隔（ピッチ）が等しくなるとともに、図５を上側（上流側に位置する煙道２４を流れてきた排気ガスが流入する側）から見た図６に示すように、上側から見て最も左に位置するベーン４４と長手方向軸線（中心軸線）とのなす角が６０度、最も右に位置する５枚のベーン４４と長手方向軸線（中心軸線）とのなす角が３０度になるようにして配置されている。そして、これらベーン４４により、上流側に位置する煙道２４から外筒４１と内筒４２との間に流入してきた排気ガスに、内筒４２およびベーン４４を長手方向（軸方向）に沿って下流側から見て右回り（時計回り）の旋回力（進行方向（下流側）に向かって左回りに回転する旋回力）が付与され、排気ガスは、下流側に位置する煙道２４に旋回しながら流入していくことになる。
【００３２】
なお、図２および図３に示すように、還元剤噴射ノズル１３は、煙道２４の直管部（短管部）２４ａの断面で見て、還元剤噴霧後の混合が促進されやすいように直管部２４ａ内の略均等な位置に配置されている。
【００３３】
制御装置１６は、還元剤供給装置１２に供給される清水の量および制御空気の量、還元剤噴射ノズル１３に供給される還元剤の量、（第１の）流量調整弁２７の開度、（第２の）流量調整弁２８の開度、（第３の）流量調整弁３１の開度を調整（制御）する機能を有する他、バーナー部１５のノズルから燃焼筒４３の内部に向けて燃焼用空気および燃料を噴出させ、燃焼筒４３の内部に火炎を作り出し、過給機４から脱硝反応器１４に供給される排気ガスを昇温（加熱）させる機能を有している。すなわち、制御装置１６は、バーナー部１５を作動させない状態で舶用排気ガス脱硝装置１０を運転し、脱硝反応器１４の性能が低下した（所定のレベルを下回った）場合（例えば、煙道３０内を通過する排気ガス中のＮＯｘ測定値が設定値を超えた場合）に、バーナー部１５のノズルから燃焼筒４３の内部に向けて燃焼用空気および燃料を噴出させ、燃焼筒４３の内部に火炎を作り出し、過給機４から脱硝反応器１４に供給される排気ガスを昇温（加熱）させて、その後、脱硝反応器１４の性能が回復（再生）した（所定のレベルを上回った）場合（例えば、煙道３０内を通過する排気ガス中のＮＯｘ測定値が設定値を下回った場合）に、バーナー部１５のノズルから燃焼筒４３の内部への燃焼用空気および燃料の噴出を停止させ、燃焼筒４３の内部に火炎が作り出されないようにし、過給機５から脱硝反応器１４に供給される排気ガスの昇温（加熱）を停止させる機能も備えている。
【００３４】
なお、図１中の符号４６は、船舶１内に設けられた空気タンク（図示せず）から供給された圧縮空気、あるいは船舶１内に設けられたボイラ（図示せず）から供給された蒸気を噴霧して、触媒２９に付着した煤やダスト、ＰＭ（Particulate Matter：排気ガス中の粒子状物質）等を吹き飛ばす（除去する）スーツブロワ装置である。
【００３５】
本実施形態に係る舶用排気ガス脱硝装置１０および舶用排気ガス脱硝装置１０の運転方法によれば、脱硝反応器１４の性能が所定のレベルを下回った場合にのみ、バーナー部１５を作動させ、脱硝反応器１４に供給される排気ガスを昇温させて、その後、脱硝反応器１４の性能が再生（回復）して所定のレベルを上回ったら、バーナー部１５を停止させ、脱硝反応器１４に供給される排気ガスの昇温が停止されることになる。
これにより、バーナー部１５における燃料消費量を抑制することができ、ランニングコストを低減させることができる。
また、本実施形態に係る舶用排気ガス脱硝装置１０によれば、過給機４の下流側に脱硝反応器１４が配置されるとともに、過給機４と脱硝反応器１４との間に燃料を燃焼させるバーナー部１５が配置されることになる。
これにより、舶用内燃機関２における起動時や停止時等のように過渡的に負荷が変動した場合でも、過給機４の回転数を負荷の変動に追従させる、または、遅れないようにすることができる。
【００３６】
さらに、本実施形態に係る舶用排気ガス脱硝装置１０によれば、バーナー部１５に流入した排気ガスに旋回力を付与するベーン４４により、バーナー部１５に流入した排気ガスに旋回力が付与され、排気ガスが旋回しながら下流側に進んでいくことになるので、排気ガスと、還元剤噴射ノズル１３から排気ガス中に噴出された還元剤とを、短い距離（本実施形態では煙道２４の直管部（短管部）２４ａ内）で略均一に混ぜ合わせることができ、脱硝反応器１４におけるＮＯｘの還元反応を安定させることができ、船舶１という限られた空間にシステムを構成できる。
【００３７】
一方、本実施形態に係る船舶１によれば、バーナー部１５における燃料消費量を抑制することができ、ランニングコストを低減させることができる舶用排気ガス脱硝装置１０を具備していることになるので、船舶１全体の燃料消費量を抑制することができて、船舶１全体のランニングコストを低減させることができる。
また、本実施形態に係る船舶１によれば、舶用内燃機関２における起動時や停止時等のように過渡的に負荷が変動した場合でも、過給機４の回転数を負荷の変動に追従させる、または、遅れないようにすることができる舶用排気ガス脱硝装置１０を具備していることになるので、船舶１の操船性（操縦性）を損なわないように（阻害しないように）することができる。
【００３８】
なお、本発明は、上述した実施形態に限定されるものではなく、適宜必要に応じて変形あるいは変更して実施することができる。
例えば、上述した実施形態では、バーナー部１５を作動させない状態で舶用排気ガス脱硝装置１０を運転し、脱硝反応器１４の性能が低下した（所定のレベルを下回った）場合（例えば、煙道３０内を通過する排気ガス中のＮＯｘ測定値が設定値を超えた場合）に、バーナー部１５のノズルから燃焼筒４３の内部に向けて燃焼用空気および燃料を噴出させ、燃焼筒４３の内部に火炎を作り出し、過給機５から脱硝反応器１４に供給される排気ガスを昇温（加熱）させて、その後、脱硝反応器１４の性能が回復（再生）した（所定のレベルを上回った）場合（例えば、煙道３０内を通過する排気ガス中のＮＯｘ測定値が設定値を下回った場合）に、バーナー部１５のノズルから燃焼筒４３の内部への燃焼用空気および燃料の噴出を停止させ、燃焼筒４３の内部に火炎が作り出されないようにし、過給機５から脱硝反応器１４に供給される排気ガスの昇温（加熱）を停止させるようにしていた。
しかし、本発明の一実施形態に係る舶用排気ガス脱硝装置１０は、このような運転（運用）方法に限定されるものではなく、エンジン排気ガス規制海域（ＥＣＡ：Emission Control Area）内においては、バーナー部１５を用いて（作動させて）排気ガスを常時昇温（加熱）するようにし、エンジン排気ガス規制海域外においては、脱硝反応器１４の性能が低下した（所定のレベルを下回った）場合（例えば、煙道３０内を通過する排気ガス中のＮＯｘ測定値が設定値を超えた場合）に、バーナー部１５のノズルから燃焼筒４３の内部に向けて燃焼用空気および燃料を噴出させ、燃焼筒４３の内部に火炎を作り出し、過給機５から脱硝反応器１４に供給される排気ガスを昇温（加熱）させて、その後、脱硝反応器１４の性能が回復（再生）した（所定のレベルを上回った）場合（例えば、煙道３０内を通過する排気ガス中のＮＯｘ測定値が設定値を下回った場合）に、バーナー部１５のノズルから燃焼筒４３の内部への燃焼用空気および燃料の噴出を停止させ、燃焼筒４３の内部に火炎が作り出されないようにし、過給機５から脱硝反応器１４に供給される排気ガスの昇温（加熱）を停止させるようにしてもよい。
これにより、エンジン排気ガス規制海域内においては、排気ガス中のＮＯｘを確実に除去することができ、排気ガス中のＮＯｘ濃度を規制値内に収めるようにすることができる。
【００３９】
また、上述した実施形態において、脱硝反応器１４の上流側（近傍）に位置する煙道２４に、排気ガス中の粒子状物質であるＰＭ（Particulate Matter）を捕集するＥＰ（Electrostatic Precipitator）やＤＰＦ（Diesel Particulate Filter）等の除塵装置（集塵装置）が設けられているとさらに好適である。
このように、脱硝反応器１４の上流側（好ましくは、上流側近傍）に位置する煙道２４に除塵装置を配置することにより、脱硝反応器１４内へのＰＭの流入を抑制する（低減させる）ことができ、脱硝反応器１４の劣化速度を遅延させることができて、脱硝反応器１４の再生間隔を延ばすことができ、バーナー部１５における燃料消費量を抑制することができる。  
【符号の説明】
【００４０】
１  船舶
２  舶用内燃機関
４  過給機
１０  舶用排気ガス脱硝装置
１１  還元剤貯蔵タンク
１３  還元剤噴射ノズル
１４  脱硝反応器
１５  バーナー部（加熱手段）
１６  制御装置
２９  触媒
４４  ベーン（旋回力付与手段）
【図１】
0005995400.tif 000002
【図２】
0005995400.tif 000003
【図３】
0005995400.tif 000004
【図４】
0005995400.tif 000005
【図５】
0005995400.tif 000006
【図６】
0005995400.tif 000007